(57)【要約】【課題】浄水手段などの使用時間をリセットする際の操作性が良好で、誤操作しにくく、水栓のデザイン性にも優れた水処理装置の提供。【解決手段】浄水手段などの水処理手段と、水処理手段で処理された処理水を吐出する吐水管４２が柱状の水栓本体４１の周面から伸びて設けられた水栓と、吐水管４２からの吐水と止水とを切り替える接触式スイッチ４３と、水処理手段の使用時間を管理する管理手段とを備えた水処理装置であって、柱状の水栓本体４１の外壁の一部、例えば上部ケーシング４５ａは、該水栓本体４１の周方向に回動可能とされている。そして、管理手段は、接触式スイッチ４３の作動並びに当該作動と同時又は一定時間内に行われた上部ケーシング４５ａの一部の回動を感知することにより、使用時間をリセットするリセット機構を有する。【選択図】図２
2010051878.tif 000002
【特許請求の範囲】
【請求項１】
原水を処理する水処理手段と、前記水処理手段で処理された処理水を吐出する吐水管が柱状の水栓本体の周面から伸びて設けられた水栓と、前記吐水管からの吐水と止水とを切り替える操作手段と、前記水処理手段の使用時間を管理する管理手段とを備えた水処理装置であって、
前記水栓本体の外壁の一部は、該水栓本体の周方向に回動可能とされ、
前記管理手段は、前記操作手段の作動並びに当該作動と同時又は前後一定時間内に行われた前記外壁の一部の回動を感知することにより、前記使用時間をリセットするリセット機構を有する水処理装置。
【請求項２】
前記操作手段は、接触式スイッチである請求項１に記載の水処理装置。
【請求項３】
前記操作手段の前記作動は、前記接触式スイッチの長押しである請求項２に記載の水処理装置。
【請求項４】
前記管理手段は、前記使用時間が予め設定されたしきい値を超えたことを報知する報知手段と、
前記操作手段の作動並びに当該作動と同時又は前後一定時間内に行われた前記外壁の一部の回動を感知することにより、前記しきい値を前記水処理手段の種類に応じて設定するしきい値設定機構を有する請求項１ないし３のいずれかに記載の水処理装置。
【請求項５】
さらに、前記水処理手段に滞留する滞留水を定期的に自動吐出する自動吐水手段と、
前記操作手段の作動並びに当該作動と同時又は前後一定時間内に行われた前記外壁の一部の回動を感知することにより、前記自動吐水手段の作動状態をオンオフするオンオフ設定機構とを有する請求項１ないし４のいずれかに記載の水処理装置。
【請求項６】
前記外壁の一部は、前記水栓本体の頭頂部である請求項１ないし５のいずれかに記載の水処理装置。
【請求項７】
前記操作手段は、前記水栓本体の上面部に設けられている請求項１ないし６のいずれかに記載の水処理装置。
【発明の詳細な説明】
【技術分野】
【０００１】
本発明は、例えば上水道などの原水を処理する浄水器やアルカリイオン整水器などの水処理手段を備えた水処理装置に関する。
【背景技術】
【０００２】
例えば浄水器には、原水中の残留塩素、トリハロメタンなどを除去する濾材や、細菌、不純物などを取り除く中空糸膜フィルタを備えたカートリッジ式の浄水手段が内蔵されている場合が多い。このような浄水手段は、原水の処理にともなって、その機能が次第に低下することから、定期的に新品に交換される必要がある。そこで、浄水手段の交換時期を判定することを目的として、浄水手段のトータルの使用時間などを測定する測定手段と、使用時間が予め設定された設定値を超えたことを報知する報知手段とを備えた水処理装置なども開発されている。
【０００３】
このような水処理装置においては、浄水手段を新品に交換した場合には、これまでに測定された使用時間をリセットすることが必要となる。従来、このようなリセットを行うためのリセットスイッチは、例えばこの水処理装置がキッチン用である場合には、流し台のシンク下などに設置された浄水手段の近傍に設けられることが多かった。
【０００４】
ところが、このような位置にリセットスイッチが設けられると、操作しにくいだけでなく、シンク下のリセットスイッチまで電気配線する必要なども生じて、装置面、施工面でコストが高くなり、さらに、シンク下の収納スペースが狭く、煩雑になってしまうという問題もあった。
【０００５】
そこで、例えば特許文献１には、原水用センサと浄水用センサによる人体検知に基づいて、原水、浄水の吐止水を制御する浄水機能付きの自動水栓において、吐水管の先端部の上面に原水用センサと浄水用センサとを設けるとともに、これらセンサをリセット操作部として兼用させることによって、装置構成を簡略化し、コストを低減しようとする発明が開示されている。この自動水栓においては、まず、原水用センサの上方に所定時間以上手をかざし、ついで浄水用センサの上方に所定時間以上手をかざすことによって、使用時間のリセットがなされるようになっている。
【特許文献１】特開２００７−１５４５１２号公報
【発明の開示】
【発明が解決しようとする課題】
【０００６】
しかしながら、特許文献１に記載された自動水栓のように、原水用センサの上方に所定時間以上手をかざしてから、浄水用センサの上方に所定時間以上手をかざす操作では、誤操作しやすく、意に反して使用時間をリセットしてしまうおそれがあった。また、特許文献１の自動水栓では、原水用センサと浄水用センサが吐水管の先端部の上面という、目立つ位置に配置されており、デザイン性が良好ではなかった。
【０００７】
本発明は上記事情に鑑みてなされたもので、浄水手段などの使用時間をリセットする際の操作性が良好で、誤操作しにくく、水栓のデザイン性にも優れた水処理装置の提供を課題とする。
【課題を解決するための手段】
【０００８】
本発明の水処理装置は、原水を処理する水処理手段と、前記水処理手段で処理された処理水を吐出する吐水管が柱状の水栓本体の周面から伸びて設けられた水栓と、前記吐水管からの吐水と止水とを切り替える操作手段と、前記水処理手段の使用時間を管理する管理手段とを備えた水処理装置であって、前記水栓本体の外壁の一部は、該水栓本体の周方向に回動可能とされ、前記管理手段は、前記操作手段の作動並びに当該作動と同時又は前後一定時間内に行われた前記外壁の一部の回動を感知することにより、前記使用時間をリセットするリセット機構を有する。
前記操作手段は、接触式スイッチであることが好ましい。
前記操作手段の前記作動としては、前記接触式スイッチの長押しが好適に例示できる。
前記管理手段は、前記使用時間が予め設定されたしきい値を超えたことを報知する報知手段と、前記操作手段の作動並びに当該作動と同時又は前後一定時間内に行われた前記外壁の一部の回動を感知することにより、前記しきい値を前記水処理手段の種類に応じて設定するしきい値設定機構を有することが好ましい。
本発明の水処理装置は、さらに、前記水処理手段に滞留する滞留水を定期的に自動吐出する自動吐水手段と、前記操作手段の作動並びに当該作動と同時又は前後一定時間内に行われた前記外壁の一部の回動を感知することにより、前記自動吐水手段の作動状態をオンオフするオンオフ設定機構とを有することが好ましい。
前記外壁の一部は、前記水栓本体の頭頂部であることが好ましい。
前記操作手段は、前記水栓本体の上面部に設けられていることが好ましい。
【発明の効果】
【０００９】
本発明によれば、浄水手段などの使用時間をリセットする際の操作性が良好で、誤操作しにくく、水栓のデザイン性にも優れた水処理装置を提供できる。
【発明を実施するための最良の形態】
【００１０】
図１は本発明の水処理装置の一実施形態を示す概略構成図、図２は図１の水処理装置が具備する専用水栓１０の縦断面図、図３は専用水栓１０の要部を示した概略斜視図、図４は図２のＩ−Ｉ’線に沿う横断面図、図５は図２のＩＩ−ＩＩ’線に沿う横断面図である。
以下、本発明について、水処理手段として浄水手段を備えた水処理装置を例に挙げて説明する。
【００１１】
本実施形態の水処理装置は、図１に示すように、原水部Ａと浄水部Ｂとを備えて構成され、原水部Ａは、原水吐出口２１を有する一般水栓２０と、止水栓１から一般水栓２０に原水を供給する給水路ａとを備えている。一方、浄水部Ｂは、浄水吐出口１１を有する専用水栓１０と、浄水手段（水処理手段）が着脱可能に装着された浄水器７と、前記給水路ａの途中から該浄水器７に原水を供給する給水管５と、浄水器７から専用水栓１０へ浄水（処理水）を送る浄水管６を備えている。図中符号２は給水路ａの途中に設けられた分岐栓を示す。
本実施形態において、一般水栓２０および専用水栓１０は、基台である流し台３０上に取り付けられており、その他の部材は流し台３０の下に収容されている。給水管５および浄水管６は屈撓曲自在なフレキシブル管で構成されており、配管取り回し上の便宜が図られている。
【００１２】
浄水器７内に着脱可能に装着された浄水手段は、例えば、原水中の残留塩素や総トリハロメタンなどを除去、吸着する濾材と、一般細菌や不純物を取り除く中空糸膜等とを備えた浄水カートリッジ等であるが、このような有害成分を除去する本来の濾過機能の他、水を美味しくしたり健康上でよいとされる成分を放出したりする機能をさらに有していてもよい。
【００１３】
給水管５には、浄水器７に供給される原水の流量を一定に制御する定流量弁３が設けられている。また該定流量弁３と浄水器７との間の給水管５には、該給水管５を開閉する電磁弁（開閉弁）を備えた制御装置４が設けられている。
【００１４】
専用水栓１０は、図２および図３に示すように、柱状（外観視）の水栓本体４１と、この水栓本体４１に装着され、水栓本体４１の周面から伸びて設けられた吐水管４２とを有して構成されている。吐水管４２は、処理水を吐出する管部４２ａと、水栓本体４１の軸線Ｐを中心として周方向に回動可能な管状ケーシング部４２ｂとからなり、管部４２ａの基端部が管状ケーシング部４２ｂに通水可能に接続している。浄水手段で処理された浄水は、浄水管６を経て水栓本体４１の内部に導入された後、管部４２ａの先端の浄水吐出口１１から吐出される。
また、この水処理装置は、電磁弁の開閉を制御することによって浄水吐出口１１からの吐水と止水とを切り替える操作手段を備え、この例の操作手段は、水栓本体４１の上面部に設けられたタクトスイッチ（登録商標）などの接触式スイッチ４３である。この接触式スイッチ４３を押して作動させると、制御装置４の電磁弁に電気信号が送られ、これによって電磁弁の開閉が制御されるようになっている。電磁弁が閉じられているとき浄水吐出口１１は止水状態にあり、電磁弁が開放されると浄水吐出口１１は吐水状態となる。
【００１５】
本実施形態の水処理装置は、該水処理装置の使用時間を管理する管理手段を有している。この例の管理手段は、浄水手段の交換時期を判定するために、使用時間として、電磁弁の開放時間の積算値、すなわち、浄水の吐出時間の積算値と、浄水手段の使用期間、すなわち、新しい浄水手段を使用し始めてからの経過時間とを採用しており、これら使用時間を測定する管理手段として、電磁弁の開放時間の積算値をカウントする装置（以下、開放時間カウンタという。）と、浄水手段の使用期間をカウントする装置（以下、使用時間カウンタという。）とが制御装置４に内蔵されている。
【００１６】
また、この例の制御装置４の管理手段は、開放時間の積算値のしきい値と、浄水手段の使用期間のしきい値とを予め設定できるようになっており、いずれか一方がそのしきい値を超えた場合には、それを報知する報知手段を備えている。この例では、報知手段として、浄水手段の交換時期を知らせるカートリッジ交換サイン１３が、専用水栓１０の水栓本体４１の上面部に設けられ、制御装置４と電気的に接続されている。よって、上記いずれか一方がそのしきい値を超えた場合には、カートリッジ交換サイン１３に信号が送られるように構成されている。また、この例では、さらに報知手段として、飲用に適した水であることを知らせる清水サイン１６も水栓本体４１の上面部に設けられている。該清水サイン１６は、通常は電磁弁が開放状態になると直ちに点灯し、閉状態になると直ちに消灯し、浄水が吐水されている間は点灯が継続されるようになっている。そして電磁弁の閉状態の継続時間が所定時間に達した後に、接触式スイッチ４３を作動させて電磁弁を開放状態にすると、吐水開始から一定時間が経過した後に清水サイン１６が点灯するように構成されている。すなわち、浄水手段や浄水管６等の内部に滞留していた水が浄水吐出口１１から排出された後に点灯して、飲用に適した水であることを知らせるようになっている。
【００１７】
また、この例の管理手段は、使用時間をリセットするリセット機構を備えており、浄水手段を新規に取り付けた際、あるいは新しいものに交換した際に、開放時間カウンタと使用時間カウンタのカウントをそれぞれリセットできるようになっている。
この例では、水栓本体４１の頭頂部（先端部）における外壁部分、すなわち、後述の上部ケーシング４５ａは、水栓本体４１の周方向（この例では周方向の一部）に回動可能なマグネットスイッチとされ、水栓本体４１の上面部に設けられた接触式スイッチ４３を押して作動させ、この作動と同時又はこの作動の前後一定時間内に行われる上部ケーシング４５ａの回動の感知によって、リセット機構が作動するようになっている。以下、先に上部ケーシング４５ａを回動させてリセットモードとし、この回動後に接触式スイッチ４３を押して作動させることによって、リセット機構が作動する形態を例示して説明する。
なお、本明細書において「作動の前後一定時間内」とは、接触式スイッチ４３を作動させた時点を基準として、本願発明による水処理装置の大きさや用途などに応じて適宜設定されるものである。例えば、本願発明による水処理装置が、家庭のキッチンにおいて用いられる水栓一体型の浄水装置または整水装置などの形態である場合、利用者の感覚的な利便性を考慮して、接触式スイッチ４３を作動させた時点を基準として、その前と後のそれぞれにおいて５〜３０秒間以内の範囲のいずれかに設定されることが好ましい。
【００１８】
具体的には、この例の水栓本体４１は、図２に示すように、管状で上端および下端が開口し、内部が長さ方向に貫通する内部空間４４ａになっている内部ケーシング４４と、該内部ケーシング４４の外側に、内部ケーシング４４と液密に設けられた管状の外部ケーシング４５とを備えている。外部ケーシング４５は、水栓本体４１の頭頂部において外壁をなし、水栓本体４１の軸線Ｐを中心として周方向に回動可能であって、内部ケーシング４４には固定されていない上部ケーシング４５ａと、管状ケーシング部４２ｂを介して上部ケーシング４５ａよりも下方に位置し、内部ケーシング４４に固定された下部ケーシング４５ｂとからなっている。
【００１９】
上部ケーシング４５ａは、筒部４６ａと筒部４６ａの上端に液密に嵌め込まれた蓋部４６ｂとを備えて構成され、筒部４６ａが内部ケーシング４４の上端に螺合することで、内部ケーシング４４に着脱可能に取り付けられている。蓋部４６ｂは、水栓本体４１の上面部を構成し、ここに接触式スイッチ４３が設けられている。
そして、上部ケーシング４５ａ内には、ホールＩＣ４７ａが設置された基盤４７が固定され、上部ケーシング４５ａを回動させると、ホールＩＣ４７ａも同伴して回動するようになっており、一方、内部ケーシング４４の上端の内側には、マグネット４８が固定されている。よって、上部ケーシング４５ａを回動させることによって、ホールＩＣ４７ａはマグネット４８による磁界領域内を出たり入ったりし、その際の電気信号が基盤４７から図示略の信号配線を通って、制御装置４に送られるようになっている。また、この基盤４７からは、接触式スイッチ４３を押した際の電気信号も制御装置４に送られるようなっている。
【００２０】
このようなマグネットスイッチにおけるホールＩＣ４７ａの動きについて、図４を用いて具体的に説明する。なお、図４には、ホールＩＣ４７ａの位置と磁界領域（図４中、破線で囲まれた領域）Ｍの位置も示している。
開放時間カウンタと使用時間カウンタのカウントをリセットする必要がない、いわゆる通常時には、図４（ａ）に示すように、マグネットによる磁界領域Ｍ内にホールＩＣ４７ａが入るように、上部ケーシング４５ａは内部ケーシング４４に装着されている。一方、開放時間カウンタと使用時間カウンタのカウントをリセットする必要が生じた場合には、図４（ｂ）に示すように、上部ケーシング４５ａをこの例では時計回りに９０°（＝α）回動させることによって、磁界領域Ｍ内からホールＩＣ４７ａが外れ、電気信号が制御装置４に送られ、リセットが可能なリセットモードとなるように構成されている。
この例では、このように上部ケーシング４５ａを回動させてリセットモードとした後、一定時間内に接触式スイッチ４３を押して作動させることによりリセット機構が作動し、開放時間カウンタと使用時間カウンタのリセットを実行することができる。
【００２１】
なお、内部ケーシング４４の内部空間４４ａ内には、内部ケーシング４４を長さ方向に貫通する図示略の配線部材が収容され、この配線部材内に、基盤４７と制御装置４とを電気的に接続する信号配線や、基盤４７と図示略の電源とを電気的に接続する電力配線等が含まれる。
【００２２】
図４中（ｃ）は、上部ケーシング４５ａを内部ケーシング４４に取り付けたり取り外したりする場合のホールＩＣ４７ａと磁界領域Ｍとの位置関係を示したものである。上部ケーシング４５ａを通常時（図４（ａ））から反時計周りに４５°（＝β）回動させ、ホールＩＣ４７ａと磁界領域Ｍとを図４中（ｃ）に示す位置関係にすることによって、上部ケーシング４５ａを容易に着脱することができる。よって、上部ケーシング４５ａの蓋部４６ｂに設けられている接触式スイッチ４３が、一定の作動回数を経た場合には新品に交換する必要があるものの場合には、上部ケーシング４５ａを容易に取り外して、その蓋部４６ｂに設けられた接触式スイッチ４３の交換作業をすることができる。
【００２３】
次に、管状ケーシング部４２ｂ、内部ケーシング４４などの構成について説明する。図２に示すように、管状ケーシング部４２ｂは、斜め上方に開口する管状の突出部４２ｃを有し、突出部４２ｃの開口は吐水管４２の管部４２ａと液密に接続され、管部４２ａと管状ケーシング部４２ｂの内部とが連通している。
また、この例では、管状ケーシング部４２ｂは内部ケーシング４４に固定されておらず、すでに述べたとおり、水栓本体４１の周方向に軸線Ｐを中心として回動可能とされている。具体的には、吐水管４２には回動限定機構が設けられており、その回動の範囲は周方向の一部、この例では、軸線Ｐを中心とした際に中心角１２０°の範囲内とされている。よって、管状ケーシング部４２ｂを回動させることによって、管部４２ａ先端の浄水吐出口１１もこの範囲内で移動し、吐水の位置を変えられるようになっている。
【００２４】
このように吐水管４２の管状ケーシング部４２ｂの回動の範囲を限定する回動限定機構としては、図示は略すが、管状ケーシング部４２ｂの上端部においては、該管状ケーシング部４２ｂの内周面に突起が形成されている。一方、この突起と係合する溝部が、内部ケーシング４４の外周面に、軸線Ｐを中心とした際に中心角１２０°の範囲内に形成されている。よって、管状ケーシング部４２ｂを回動させると、突起は溝部内を溝部の長さ方向に沿って移動するが、その移動の範囲は中心角１２０°の範囲内に限定される。それに伴って、管状ケーシング４２ｂの回動も中心角１２０°の範囲内に限定されるようになっている。
このように管状ケーシング部４２ｂの周方向における回動の範囲を一部に限定する回動限定機構として、管状ケーシング部４２ｂの内周面に突起が設けられ、これに係合する溝部が内部ケーシング４４の外周面に形成されていると、例えば使用者から見て奥の方に吐水管４２の管部４２ａが回り込み、シンクの周囲の天板部に吐水してしまうことなどが防げる点で好適である。
【００２５】
内部ケーシング４４の外壁は、内部ケーシング４４の上部および下部では略円筒状であり、管状ケーシング部４２ｂの突出部４２ｃの近傍では、図５に示すように断面略半円状になっている。あわせて、内部ケーシング４４の外面と管状ケーシング部４２ｂの内面との間には、断面略半円状であって、吐水管４２の管部４２ａと連通した貯水部４４ｂが設けられている。このように貯水部４４ｂを設けると、吐水管４２ａの管部４２ａから吐出させるための水を一旦該貯水部４４ｂに溜めておき、一定量となった時点で管部４２ａから吐出させることができる。その結果、吐水圧を適度に調整することができる。
貯水部４４ｂの底面４４ｃをなす内部ケーシング４４には、管状の継ぎ手４９が液密に挿入されている。該継ぎ手４９の下端は浄水管６に接続されており、上端は貯水部４４ｂに開放されている。すなわち、貯水部４４ｂは該継ぎ手４９を介して、水栓本体４１の内部に貫装された浄水管６と連通している。図中符号５０はＯリングを示す。
【００２６】
内部ケーシング４４の下端は、流し台３０に固定された環状部材５１のナット部５２に螺合されており、内部ケーシング４４の下部、環状部材５１の上部、およびナット部５２の外面を一体的に覆うように金属製の補強部材５３が設けられている。そして、補強部材５３の外側に下部ケーシング４５ｂが設けられている。補強部材５３と下部ケーシング４５ｂとの接合部はＯリング５４で液密にシールされている。また下部ケーシング４５ｂの下端部、内部ケーシング４４の下端部および該補強部材５３の下端部は、いずれも、図示略のボルトによって環状部材５１に固定されている。
【００２７】
次に、この例の水処理装置において、測定された使用時間から浄水手段の交換時期を判定する具体的方法、ついで、浄水手段を交換する際にリセット機構を作動させて使用時間をリセットする具体的方法について説明する。
本実施形態の水処理装置では、浄水吐出口１１からの吐水積算時間（電磁弁の開放時間の積算値）が規定時間以上になった場合と、浄水手段の使用開始からの経過時間（使用期間）が規定時間以上になった場合に、浄水手段が寿命になったと判定される。本実施形態において、浄水器７に供給される原水の流量は定流量弁３によって一定に制御されているため、浄水吐出口１１からの吐水積算時間は、浄水器７で処理された水量（処理量）の積算値（積算流量）に比例する。
そして、この例では、前記吐水積算時間が規定時間を超えた場合と、前記使用期間が規定時間を超えた場合の少なくとも一方が生じたときに、カートリッジ交換サイン１３によって報知されるようになっている。
【００２８】
吐水積算時間の管理を行うには、例えば１年寿命浄水手段の場合に、積算流量での寿命を１２０００リットルと規定し、定流量弁３によって定められた原水の流量（浄水手段における濾過流量と同じ。）を３．０リットル／分と規定する。そして制御装置４に設けられた電磁弁が開放状態となっていた積算時間を開放時間カウンタでカウントし、４０００時間になった時点を浄水手段の寿命と判定する。すなわち、開放時間の積算値のしきい値を４０００時間とする。
一方、使用期間の管理を行うには、新しい浄水手段を取り付けた時点をスタートと規定して使用時間カウンタでカウントを開始し、その時から１年経過した時点を浄水手段の寿命と判定する。すなわち、浄水手段の使用期間のしきい値を１年間とする。
したがって、例えば吐水積算時間が４０００時間に達していなくても、使用期間が１年に達した場合にはカートリッジ交換サイン１３が点灯するようになっている。
【００２９】
ついで、このようにカートリッジ交換サイン１３が点灯した場合には、浄水手段を新品のものに取り替える。
そして、この例においては、図４（ｂ）に示すように、上部ケーシング４５ａを回動させて磁界領域Ｍ内からホールＩＣ４７ａが外れるようにしてリセットモードとし、その後、一定時間内に接触式スイッチ４３を押して作動させる。これにより、リセット機構が作動して、開放時間カウンタと使用時間カウンタのリセットを実行することができる。
【００３０】
なお、この例では、通常時（図４（ａ））からリセットモード時（図４（ｂ））に切り替える際には、上部ケーシング４５ａを時計回りに９０°回動させているが、ホールＩＣ４７ａが磁界領域Ｍから外れさえすればよく、その限りにおいては時計回りに９０°以上回動させてもよいし、必ずしも９０°まで回動させなくてもよい。
さらにこの例では、ホールＩＣ４７ａが磁界領域Ｍ内から外れている際をリセットモード時とし、磁界領域Ｍ内に存在する場合を通常時としているが、反対に、磁界領域Ｍ内に存在する場合をリセットモード時とし、磁界領域Ｍから外れた際を通常時としてもよい。
【００３１】
さらに、この例では、先に上部ケーシング４５ａを回動させて磁界領域Ｍ内からホールＩＣを外すことによってリセットモードとした後、一定時間内に接触式スイッチ４３を押して作動させることによって、リセット機構が作動する形態を示しているが、接触式スイッチ４３の作動並びに当該作動と同時又は前後一定時間内に行われる上部ケーシング４５ａの回動を感知することによりリセット機構を作動させる限り、この形態に限定されない。  
例えば、先に接触式スイッチ４３を、操作手段を作動させる際の押し時間よりも長い時間押すこと（例えば３秒以上等。）、すなわち、長押しすることによって、電磁弁を開閉する電気信号ではなく、リセットモードとする電気信号が制御装置４に送られるように設定しておく。そうすることによって、まず、接触式スイッチ４３を長押ししてリセットモードとし、その後、一定時間内に上部ケーシング４５ａを回動させることによって、直ちにリセット機構が作動する形態とすることもできる。また、接触式スイッチ４３を所定時間以上、長押ししながら、同時に上部ケーシング４５ａを回動させることによって、リセット機構が作動する形態とすることもできる。
【００３２】
このような水処理装置によれば、浄水手段を新規に取り付けた際、あるいは新しいものに交換した際に、この例では水栓本体４１の上面部に設けられた接触式スイッチ４３を押す操作と、上部ケーシング４５ａの回動という、異なる位置における異なる操作を２つ組み合わせることによって、リセット機構を作動させている。よって、意に反してリセットを実行してしまうなどの誤操作が起こりにくい。また、２つの操作は、水栓本体４１の上面部に設けられた接触式スイッチ４３を押す操作と、上部ケーシング４５ａを回動させる操作であるため、いずれも手元で操作でき、操作性にも優れる。
また、接触式スイッチ４３は、電磁弁の開閉を制御して吐水管４２の管部４２ａからの吐水と止水とを切り替えるために、水栓本体４１に元々設けられているものであるし、上部ケーシング４５ａは、その蓋部４６ｂに設けられている接触式スイッチ４３を適宜新品に交換できるように、回動させることで内部ケーシング４４から取り外せるように、元々構成されている。この水処理装置では、このような接触式スイッチ４３と上部ケーシング４５ａとをリセット機構の作動に利用しているため、リセット機構としてのスイッチを別途新たに設ける必要がない。そのため、コスト面で有利であるうえ、専用水栓１０のデザインもスリムかつシンプルに維持でき、デザイン性にも優れる。
【００３３】
なお、本実施形態では、リセット機構を作動させるために回動させる部分を上部ケーシング（水栓本体の頭頂部の外壁）４５ａとしているため、手元での回動操作がしやすく、操作性が特に優れる。また、上部ケーシング４５ａ内に基盤４７を１つだけ設け、これを水栓本体４１の上面部の接触式スイッチ４３用とホールＩＣ４７ａ設置用に利用することができ、水栓本体４１をコンパクトに構成することもできる。しかしながら、リセット機構を作動させるために回動させる部分は、水栓本体の外壁の長さ方向の一部であれば上部ケーシング４５ａに限定されず、下部ケーシング４５ｂとしてもよい。
また、接触式スイッチ４３を設ける部分は、水栓本体４１の上面部であれば、手元で操作しやすいとともに上述したような基盤４７の兼用も可能であり、好適であるが、好ましくは水栓本体４１であればよく、また、それ以外でも特に制限はない。また、操作手段の具体例としても、スイッチを押すことで作動する接触式スイッチ４３であれば操作が簡便であるが、これに限定されず、その他の形態のものであってもよい。また、接触式スイッチ４３としては、押下式スイッチ、感圧式スイッチなどのスイッチを例示することができる。
【００３４】
また、以上の説明においては、開放時間の積算値のしきい値が４０００時間で、浄水手段の使用期間のしきい値が１年間である浄水手段を例示したが、浄水手段の種類に応じてこれらしきい値は異なる。よって、浄水手段を異なる種類のものに取り替えた際などには、しきい値の設定も変更する必要がある。よって、水処理装置の管理手段は、しきい値を浄水手段の種類に応じて設定するしきい値設定機構を具備することが好ましい。
その場合、接触式スイッチ４３を押して作動させること、並びに、このような作動と同時又は前後一定時間内に行われる上部ケーシング４５ａの回動を感知することにより、しきい値設定機構が作動するようにしてもよい。それにより、リセット機構の場合と同様に、誤操作なく、良好な操作性で、しきい値設定機構を作動させることができ、水処理装置のコスト面、デザイン性の点でも好ましい。具体的には、しきい値設定機構を作動させる際における接触式スイッチ４３の長押し時間を、リセット機構の作動時とは異なるように予め設定しておく方法などが挙げられる。それにより、リセット機構の作動と、しきい値設定機構の作動とが判別可能となる。そして、さらに、浄水手段の種類に対応するように、接触式スイッチ４３を長押しする時間を予め個別に設定するなどしておけば、長押し時間を変えることで、しきい値を浄水手段の種類に応じて設定することが可能となる。
【００３５】
さらに、水処理装置には、水処理手段に滞留する滞留水を定期的に自動吐出する自動吐水手段を備えてもよい。自動吐水手段を設けることによって、例えば、一定期間、水処理装置が使用されなかった場合には、所定の流量で所定時間、自動的に滞留水を吐出させるようにして、飲用に適した水がいつでも得られるようにすることもできる。
その場合、自動吐水手段の作動状態をオンオフするオンオフ設定機構を設けることが好ましい。自動吐水手段は、例えば使用者が旅行などで長期間不在となる場合には、無用に作動しない方が好ましいため、使用者の都合などにより、自動吐水手段の作動状態を適宜オンオフできることが好適である。
また、オンオフ設定機構は、接触式スイッチ４３を押して作動させること、並びに、このような作動と同時又は前後一定時間内に行われる上部ケーシング４５ａの回動を感知することにより、作動するようにしてもよい。それにより、リセット機構の場合と同様に、誤操作なく、良好な操作性でオンオフ設定機構を作動させることができ、水処理装置のコスト面、デザイン性の点でも好ましい。具体的には、このようにオンオフ設定機構を作動させる際においても、接触式スイッチ４３を長押しする時間をリセット機構の作動時、しきい値設定機構の作動時とはそれぞれ異なるように予め設定しておく方法などが挙げられる。それにより、リセット機構の作動と、しきい値設定機構の作動と、オンオフ設定機構の作動とが判別可能となる。
【００３６】
なお、本実施形態では、水処理手段として浄水手段を例示したが、これに限らず他の水処理手段であってもよい。例えば浄水器７に代えてアルカリイオン整水器を用いてもよい。この場合、専用水栓１０には２つに分岐した浄水吐出口を設けて、電解槽で電気分解して生成されたアルカリ水と酸性水とを別々に吐出できるようにしてもよい。
また、本実施形態においては、開閉弁の例として電磁弁を用いて説明したが、単なる開閉弁に代えて、浄水手段により得られた浄水の吐水と、原水の吐水と、止水などの３つの機能を兼ねた流路切換弁や、プラグ弁などを用いてもよい。そして、プラグ弁を用いた場合には、該プラグ弁と接触式スイッチ４３とが電気的な配線ではなく、ワイヤで接続されていてもよい。
【００３７】
また、本実施形態では、水処理手段の交換時期を判定するための使用時間として、電磁弁の開放時間の積算値（浄水の吐出時間の積算値）と、浄水手段の使用期間（新しい浄水手段を使用し始めてからの経過時間）とを採用しているため、浄水手段の寿命をより適正に判定できるが、場合によっては、電磁弁の開放時間の積算値、浄水手段の使用期間のいずれか一方のみを採用してもよいし、他のパラメータを使用期間の指標として採用してもよい。
【図面の簡単な説明】
【００３８】
【図１】本発明の水処理装置の一実施形態を示す概略構成図である。
【図２】図１の水処理装置が具備する専用水栓の縦断面図である。
【図３】図１の水処理装置が具備する専用水栓の要部を示した概略斜視図である。
【図４】図２のＩ−Ｉ’線に沿う横断面図である。
【図５】図２のＩＩ−ＩＩ’線に沿う横断面図である。
【符号の説明】
【００３９】
５：給水管
７：浄水器
１０：専用水栓
４１：水栓本体
４２：吐水管
４３：接触式スイッチ（操作手段）
【図１】
2010051878.tif 000003
【図２】
2010051878.tif 000004
【図３】
2010051878.tif 000005
【図４】
2010051878.tif 000006
【図５】
2010051878.tif 000007